(57)【特許請求の範囲】
【請求項１】
放送信号を受信する受信アンテナと、
前記受信アンテナで受信した放送信号を収録する信号収録部と、
を備え、フィールドにおいて前記放送信号を収録する信号収録装置と、
前記信号収録部で収録した前記放送信号を再生する信号再生部と、
前記信号再生部で再生した前記放送信号を送信する送信アンテナと、
を備え、試験室においてフィールドで収録した前記放送信号を再生する信号再生装置と、
を備えた放送受信機試験装置であって、
前記信号再生部は、前記信号収録部で収録した前記放送信号と、前記信号収録部で収録した前記放送信号を前記信号再生部で再生して前記送信アンテナで送信し前記信号収録装置で再度収録した前記放送信号との相関値が最大となるように、前記送信アンテナから送信する前記放送信号の遅延量およびゲイン量の少なくとも一方を調整し設定する再生条件設定動作を行うこと、
を特徴とする放送信号受信機試験装置。
【請求項２】
前記受信アンテナおよび前記送信アンテナは、それぞれ複数の指向性受信アンテナおよび複数の指向性送信アンテナを備えていること、
を特徴とする請求項１に記載の放送信号受信機試験装置。
【請求項３】
前記指向性受信アンテナの数と前記指向性送信アンテナの数が奇数かつ同一の数であること、
を特徴とする請求項２に記載の放送信号受信機試験装置。
【請求項４】
複数の前記指向性受信アンテナは、所定の直径を有する第一の円の円周上に等間隔で配置されるとともに、
複数の前記指向性送信アンテナは、前記第一の円の直径より大きい第二の円の円周上に等間隔で配置されること、
を特徴とする請求項２または３に記載の放送信号受信機試験装置。
【請求項５】
前記再生条件設定動作を行う際に、前記指向性受信アンテナが配置された前記第一の円の中心と、前記指向性送信アンテナが配置された前記第二の円の中心とが一致し、前記指向性受信アンテナと前記指向性送信アンテナとが対向するように、前記指向性受信アンテナおよび前記指向性送信アンテナが配置されること、
を特徴とする請求項４に記載の放送信号受信機試験装置。
【請求項６】
前記再生条件設定動作は、前記信号収録部により収録された前記放送信号毎に個別に行われること、
を特徴とする請求項１〜５のいずれか１項に記載の放送信号受信機試験装置。
【請求項７】
前記再生条件設定動作は、前記信号収録部により同時に収録された全ての前記放送信号に対して同時に行われること、
を特徴とする請求項１〜５のいずれか１項に記載の放送信号受信機試験装置。
【請求項８】
前記信号収録装置は、車載されていること、
を特徴とする請求項１〜７のいずれか１項に記載の放送信号受信機試験装置。
【発明の詳細な説明】
【技術分野】
【０００１】
本発明は、放送信号受信機試験装置に関するものである。
【背景技術】
【０００２】
さまざまな放送信号に対して開発された放送信号受信機の性能評価を行うにあたって、特に放送信号受信機を車載する場合、車両の移動環境下におけるフィールドテストは重要な項目である。しかしながら、このフィールドテストは準備や評価に膨大な時間と工数を必要とし、さらに同様のフィールドテストを行った場合でも再現性が保たれにくく、同様の評価結果が得られない場合がある、という問題点があった。この問題を解決するために、一度移動環境下で放送信号を収録すれば、電波暗室等の試験室において移動環境下での放送信号を同一に再現することが可能な放送信号収録再生装置が提案されている（特許文献１、２）。
【特許文献１】特開平６−２６５５８７号公報
【特許文献２】特開平１１−１８３５４４号公報
【発明の開示】
【発明が解決しようとする課題】
【０００３】
このような放送信号収録再生装置で収録した放送信号を用いて放送信号受信機の性能評価を行う場合は、１）評価対象の放送信号受信機を試験室に設置し、２）フィールドで収録した放送信号を再生して試験室に設置した送信アンテナから送信し、試験室内にフィールドでの電波伝搬環境を再現し、３）再生・送信した放送信号を放送信号受信機で受信し、受信性能を評価する、ことにより行われる。
【０００４】
ところで、収録した放送信号を試験室で再生・送信する場合、送信される放送信号は、試験室に設けられた送信アンテナの特性の影響を受けてしまい、フィールドでの電波伝搬環境を精度高く再現できない、という問題点がある。一方、放送信号受信機の性能評価を行う場合、その放送信号受信機に接続された受信アンテナを含めた性能を評価することが重要となるが、試験室に設置された送信アンテナから送信された放送信号が試験室に設置された送信アンテナの特性の影響を受けていると、放送信号受信機で受信された信号は、試験室に設置された送信アンテナと放送信号受信機に接続された受信アンテナ双方の特性に影響を受けていることになり、放送信号受信機に接続された受信アンテナを含めて放送信号受信機の性能評価を精度高く行うことができない。
【０００５】
本発明では、以上の点に鑑み、フィールドにおける電波伝搬環境を試験室内で精度高く再現し、車両に設置された放送信号受信機の性能評価を、その放送信号受信機に接続された受信アンテナの特性を含めて行う放送信号受信機試験装置を提供する。
【課題を解決するための手段】
【０００６】
上記課題を解決するために、請求項１に記載の発明は、放送信号を受信する受信アンテナと、前記受信アンテナで受信した放送信号を収録する信号収録部と、を備え、フィールドにおいて前記放送信号を収録する信号収録装置と、前記信号収録部で収録した前記放送信号を再生する信号再生部と、前記信号再生部で再生した前記放送信号を送信する送信アンテナと、を備え、試験室においてフィールドで収録した前記放送信号を再生する信号再生装置と、を備えた放送受信機試験装置であって、前記信号再生部は、前記信号収録部で収録した前記放送信号と、前記信号収録部で収録した前記放送信号を前記信号再生部で再生して前記送信アンテナで送信し前記信号収録装置で再度収録した前記放送信号との相関値が最大となるように、前記送信アンテナから送信する前記放送信号の遅延量およびゲイン量の少なくとも一方を調整し設定する再生条件設定動作を行うことを特徴としている。
【０００７】
上記構成によれば、フィールドで収録した放送信号を、試験室に設置した送信アンテナの影響を排除して送信できるため、放送信号受信機の評価を行う際に、その放送信号受信機に接続された受信アンテナの特性を含めた評価が可能となる。
【０００８】
また、請求項２に記載の発明は、請求項１において、前記受信アンテナおよび前記送信アンテナは、それぞれ複数の指向性受信アンテナおよび複数の指向性送信アンテナを備えていることを特徴としている。
【０００９】
上記構成によれば、放送信号受信機の性能評価を行う際に、複数の放送信号に対する電波伝搬環境を再現することができる。
【００１０】
また、請求項３に記載の発明は、請求項２において、前記指向性受信アンテナの数と前記指向性送信アンテナの数が奇数かつ同一の数であることを特徴としている。
【００１１】
上記構成によれば、試験室に設置した送信アンテナから放送信号を送信する際に、送信された放送信号が対向し電波伝搬環境の再現性を低下させてしまうことを防ぐことができる。
【００１２】
また、請求項４に記載の発明は、請求項２または３において、複数の前記指向性受信アンテナは、所定の直径を有する第一の円の円周上に等間隔で配置されるとともに、複数の前記指向性送信アンテナは、前記第一の円の直径より大きい第二の円の円周上に等間隔で配置されることを特徴としている。
【００１３】
また、請求項５に記載の発明は、請求項４において、前記再生条件設定動作を行う際に、前記指向性受信アンテナが配置された前記第一の円の中心と、前記指向性送信アンテナが配置された前記第二の円の中心とが一致し、前記指向性受信アンテナと前記指向性送信アンテナとが対向するように、前記指向性受信アンテナおよび前記指向性送信アンテナが配置されることを特徴としている。
【００１４】
上記構成によれば、各送信アンテナから送信された放送信号を対応する受信アンテナで受信することができ、再生条件設定動作を精度高く行うことができる。
【００１５】
また、請求項６に記載の発明は、請求項１〜５のいずれか１項において、前記再生条件設定動作は、前記信号収録部により収録された前記放送信号毎に個別に行われることを特徴としている。
【００１６】
上記構成によれば、再生条件設定動作を精度高く行うことができる。
【００１７】
また、請求項７に記載の発明は、請求項１〜５のいずれか１項において、前記再生条件設定動作は、前記信号収録部により同時に収録された全ての前記放送信号に対して同時に行われることを特徴としている。
【００１８】
上記構成によれば、再生条件設定動作を短時間で行うことができる。また、複数の放送信号が同時に存在する電波伝搬環境を精度高く再現する再生条件を設定することができる。
【００１９】
さらに、請求項８に記載の発明は、請求項１〜７のいずれか１項において、前記信号収録装置は、車載されていることを特徴としている。
【００２０】
上記構成によれば、車載された放送信号受信機の性能評価に必要な電波伝搬環境を簡単に収録することができる。
【発明の効果】
【００２１】
フィールドにおける電波伝搬環境を試験室内で精度高く再現し、車両に設置された放送信号受信機の性能評価を、その放送信号受信機に接続された受信アンテナの特性を含めて行うことができる。
【発明を実施するための最良の形態】
【００２２】
以下、本発明の実施形態を図面に従って説明する。
【００２３】
図１に、本発明における信号収録装置による放送信号収録操作の概要図を示す。
【００２４】
放送信号の収録は、放送信号を受信する受信アンテナ５１０と、受信アンテナ５１０で受信した放送信号を収録する信号収録部５２０とを備えた信号収録装置５００が設置された観測車両ＲＶで、放送信号受信機の性能評価で必要な放送信号が放送局電波塔ＢＣＴから送信され受信可能な地域を走行することにより行われる。
【００２５】
ここで、受信アンテナ５１０は、放送局電波塔ＢＣＴから受信アンテナ５１０に直接届く直接波と、建物や山等で反射された反射波とを受信する。
【００２６】
図２に、本発明における観測車両ＲＶおよび信号収録装置５００の概要を、平面図と側面図で示す。
【００２７】
観測車両ＲＶには、受信アンテナ５１０、信号収録部５２０、撮像部５３０、ＧＰＳアンテナ５４１、ＧＰＳ受信部５４２、走行状態検出部５５０を備えた信号収録装置５００が設置されている。
【００２８】
受信アンテナ５１０は、放送信号を受信するアンテナで、奇数個の指向性受信アンテナを備えている。本実施形態においては、５つの指向性受信アンテナである指向性受信アンテナ５１０Ａ〜５１０Ｅを備えている。これら指向性受信アンテナ５１０Ａ〜５１０Ｅは、受信アンテナ５１０の中心ＣＴ１を中心とする円Ｃ１（第一の円）の円周上に等間隔で設置されている。本実施形態では、指向性送信アンテナ５１０Ａ〜５１０Ｅの数は５であるため、７２度間隔で円Ｃ１の円周上に設置されている。
【００２９】
アンテナ数が奇数である理由は、信号収録装置５００で収録した放送信号を試験室で再生・送信する際に、試験室に設けた指向性送信アンテナから送信される放送信号が対向しないようにするためである。これについては、再度後述する。
【００３０】
信号収録部５２０は、受信アンテナ５１０で受信した放送信号を収録する。ここで、放送信号は、指向性受信アンテナ５１０Ａ〜５１０Ｅ毎に収録される。本実施形態では、指向性受信アンテナ５１０Ａ〜５１０Ｅに対応する放送信号Ａ〜放送信号Ｅの５つの放送信号が収録される。
【００３１】
撮像部５３０は、観測車両ＲＶの前方映像を撮像する小型カメラであり、放送信号収録中の前方映像を撮像する。撮像した映像信号は、信号収録部５２０に収録される。
【００３２】
ＧＰＳアンテナ５４１は、いわゆるＧＰＳ信号を受信して、ＧＰＳ受信部５４２に出力する。
【００３３】
ＧＰＳ受信部５４２は、ＧＰＳアンテナ５４１から出力されたＧＰＳ信号を受け取り、緯度・経度データを出力する。出力された緯度・経度データは、信号収録部５２０に出力される。
【００３４】
走行状態検出部５５０は、車速センサ５５１、加速度センサ５５２、ジャイロ５５３（いずれも図示省略）を備えている。車速センサ５５１は、観測車両ＲＶの車速を検出し、車速信号を出力する。加速度センサ５５２は、観測車両ＲＶの前後方向および左右方向の加速度をそれぞれ検出し、前後方向および左右方向の加速度信号を出力する。ジャイロ５５３は、観測車両ＲＶの方位を検出し、方位信号を出力する。出力された車速信号、加速度信号、方位信号は、信号収録部５２０に収録される。
【００３５】
図３に、信号収録部５２０のブロック図を示す。
【００３６】
信号収録部５２０は、放送信号受信部５２１、制御部５２２、記憶部５２３を備えている。
【００３７】
放送信号受信部５２１は、受信部５２１ａ、周波数変換部５２１ｂ、フィルタ部５２１ｃ、ＡＤ変換部５２１ｄを備えている。
【００３８】
受信部５２１ａは、指向性受信アンテナ５１０Ａで受信した放送信号を受け取り、高周波増幅等の信号処理を行う。
【００３９】
周波数変換部５２１ｂは、受信部５２１ａの出力信号を受け取り、周波数をダウンコンバートする。
【００４０】
フィルタ部５２１ｃは、周波数変換部５２１ｂの出力信号を受け取り、必要な信号のみを抽出するフィルタ処理を行う。
【００４１】
ＡＤ変換部５２１ｄは、フィルタ部５２１ｃの出力信号を受け取り、デジタル信号に変換する。
【００４２】
制御部５２２は、撮像部５３０が出力する映像信号を取り込み、必要な画像処理を行って、所定のタイミングで記憶部５２３に出力する。また、ＧＰＳ受信部５４２が出力するＧＰＳ信号と、走行状態検出部５５０の、車速センサ５５１、加速度センサ５５２、ジャイロ５５３がそれぞれ出力する車速信号、加速度信号、方位信号を受け取って、自車両の位置情報を算出し、所定のタイミングで記憶部５２３に出力する。さらに、放送信号収録前に、収録する放送信号に適したフィルタパラメータを設定すべく、フィルタ部５２１ｃに対してフィルタパラメータを出力する。
【００４３】
記憶部５２３は、ＡＤ変換部５２１ｄの出力する出力データを所定のタイミングで記憶する。また、制御部５２２が出力する映像信号、位置情報を所定のタイミングで記憶する。
【００４４】
なお、放送信号受信部５２１は、指向性受信アンテナ５１０Ａ〜５１０Ｅに対してそれぞれ設けられており、すなわち、本実施形態では５つの放送信号受信部５２１が設けられており、記憶部５２３は、各放送信号受信部５２１の各ＡＤ変換部５２１ｄの出力信号を記憶する。
【００４５】
図４に、収録した放送信号を再生する信号再生装置６００が設置された試験室ＴＲの概要を平面図で示す。
【００４６】
試験室ＴＲには、指向性送信アンテナ６１０Ａ〜６１０Ｅ（送信アンテナ６１０）、信号再生部６２０を構成する信号再生部６２０Ａ〜６２０Ｅ、制御部６３０を備えた信号再生装置６００が設置されている。
【００４７】
指向性送信アンテナ６１０Ａ〜６１０Ｅは、信号収録部５２０で収録され、後述する信号再生部６２０Ａ〜６２０Ｅで再生される放送信号を送信する指向性アンテナである。ここで、指向性送信アンテナ６１０Ａ〜６１０Ｅの数は、観測車両ＲＶに設置された指向性受信アンテナ５１０Ａ〜５１０Ｅと同数であり、試験室ＴＲのある点（図４ではＣＴ２）を中心とする円Ｃ２（第二の円）の円周上に、等間隔で設置されている。ここで、指向性送信アンテナの数が偶数であると、中心ＣＴ２を中心として指向性送信アンテナが向き合う状態となり、送信された放送信号が対向してしまうことになる。これを避けるために、指向性送信アンテナの数は奇数個設定されている。本実施形態では、指向性送信アンテナ６１０Ａ〜６１０Ｅの数は５であるため、７２度間隔で円Ｃ２の円周上に設置されている。
【００４８】
ここで、指向性受信アンテナ５１０Ａで受信され収録された放送信号は、後述する信号再生部６２０Ａで再生されて指向性送信アンテナ６１０Ａから送信される。同様に、指向性受信アンテナ５１０Ｂで受信され収録された放送信号は、信号再生部６２０Ｂで再生されて指向性送信アンテナ６１０Ｂから送信され、指向性受信アンテナ５１０Ｃで受信され収録された放送信号は、信号再生部６２０Ｃで再生されて指向性送信アンテナ６１０Ｃから送信され、指向性受信アンテナ５１０Ｄで受信され収録された放送信号は、信号再生部６２０Ｄで再生されて指向性送信アンテナ６１０Ｄから送信され、指向性受信アンテナ５１０Ｅで受信され収録された放送信号は、信号再生部６２０Ｅで再生されて指向性送信アンテナ６１０Ｅから送信される。
【００４９】
また、後述する再生条件設定動作を行う際は、指向性送信アンテナＡから送信した放送信号を指向性受信アンテナＡで受信し、同様に、指向性送信アンテナＢ〜Ｅからそれぞれ送信した放送信号を、指向性受信アンテナＢ〜Ｅで受信する。このため、指向性受信アンテナＡ〜Ｅが、それぞれ指向性送信アンテナＡ〜Ｅに対向するように、また指向性受信アンテナ５１０Ａ〜５１０Ｅが配置された円Ｃ１の中心ＣＴ１と、指向性送信アンテナ６１０Ａ〜６１０Ｅが配置された円Ｃ２の中心ＣＴ２が一致するように、観測車両ＲＶが配置される。
【００５０】
なお、信号再生部６２０Ａ〜６２０Ｅは、信号収録部５２０で収録した放送信号Ａ〜放送信号Ｅをそれぞれ再生するもので、いずれも同じ構成である。以下、信号再生部６２０Ｂを代表例として説明を行う。
【００５１】
信号再生部６２０Ｂは、放送信号送信部６２１、再生制御部６２２、記憶部６２３、送信信号制御部６２４、遅延ゲイン制御部６２５を備えている。
【００５２】
図５に、信号再生部６２０Ｂの詳細なブロック図を、信号収録部５２０のブロック図とともに示す。
【００５３】
記憶部６２３には、信号収録部５２０で収録した放送信号のうち、指向性アンテナ５１０Ｂで受信した放送信号が記憶されている。ここで、収録した放送信号の、信号収録部５２０から信号再生部６２０Ｂへの移動は、図示しないネットワーク経由、または記憶媒体を介して行われる。
【００５４】
再生制御部６２２は、後述する制御部６３０からの信号に基づいて、記憶部６２３に記憶された放送信号の再生を行う。
【００５５】
放送信号送信部６２１は、記憶部６２３に記憶された放送信号を受け取り、放送信号を送信する。ここで、放送信号送信部６２１は、ＤＡ変換部６２１ｄ、フィルタ部６２１ｃ、周波数変換部６２１ｂ、送信部６２１ａを備えている。
【００５６】
ＤＡ変換部６２１ｄは、記憶部６２３に記憶された放送信号をデジタル信号として受け取り、アナログ信号に変換して出力する。
【００５７】
フィルタ部６２１ｃは、ＤＡ変換部６２１ｄの出力信号を受け取り、不要な雑音成分を除去して出力する。
【００５８】
周波数変換部６２１ｂは、フィルタ６２１ｃの出力信号を受け取り、無線送信に必要な周波数へ信号をアップコンバートして出力する。
【００５９】
送信部６２１ａは、周波数変換部６２１ｂの出力信号を受け取り、無線送信に必要な信号の増幅を行って出力する。
【００６０】
送信部６２１ａの出力信号は、遅延ゲイン制御部６２５へ入力され、遅延量およびゲイン量が調整された後に、指向性送信アンテナ６１０Ｂから送信される。
【００６１】
送信信号制御部６２４は、相関値算出部６２４ａと制御情報記憶部６２４ｂとを備えている。
【００６２】
相関値算出部６２４ａは、記憶部６２３に記憶され再生された放送信号と、その放送信号を指向性送信アンテナ６１０Ｂから送信し、信号収録部５２０で再度収録した放送信号との相関値を算出し、制御情報記憶部６２４ｂに出力する。
【００６３】
制御情報記憶部６２４ｂは、相関値算出部６２４ａが算出する相関値の最大値を記憶する。また、遅延ゲイン制御部６２５が出力する遅延量およびゲイン量を記憶する。
【００６４】
遅延ゲイン制御部６２５は、遅延制御部６２５ａとゲイン制御部６２５ｂとを備え、指向性送信アンテナ６１０Ｂから送信する放送信号の時間的遅延量とゲイン量（出力パワー）を調整する再生条件設定動作を行う。この調整は、記憶部６２３に記憶され再生された放送信号と、その放送信号を指向性送信アンテナ６１０Ｂから送信し、信号収録部５２０で再度収録した放送信号との相関値が最大となるように行われる。相関値が最大となった際に、遅延量とゲイン量が制御情報記憶部６２４ｂに出力される。
【００６５】
以上は、信号再生部６２０Ｂを代表として説明を行ったが、再生条件設定動作は、信号再生部６２０Ａ、６２０Ｃ、６２０Ｄ、６２０Ｅに対しても個別に行う。これにより、各信号再生部６２０Ａ〜６２０Ｅにおいて、放送信号再生時に指向性送信アンテナ６１０Ａ〜６１０Ｅの特性を排除する、遅延量とゲイン量が設定される。
【００６６】
制御部６３０は、信号再生部６２０Ａ〜６２０Ｅから再生を行う信号再生部を選択し、選択した信号再生部６２０Ａ〜６２０Ｅの再生動作と、信号収録部５２０の収録動作のタイミング制御を行う。
【００６７】
図６に、試験室ＴＲにおける評価対象受信機ＲＣＶの評価試験の概要図を示す。
【００６８】
再生条件設定動作により放送信号再生時の遅延量とゲイン量とが設定された後に、評価対象受信機ＲＣＶの評価試験を行う場合は、評価対象受信機ＲＣＶを車載した試験車両ＴＶを試験室ＴＲに設置する。この際、評価対象受信機ＲＣＶに接続された受信アンテナＡＮＴが、指向性送信アンテナ６１０Ａ〜６１０Ｅが円周上に配置された円Ｃ２の中心ＣＴ２上に位置するように配置を行う。この状態で、信号収録部５２０により収録した放送信号Ａ〜放送信号Ｅを信号再生部６２０Ａ〜６２０Ｅで再生し、指向性送信アンテナ６１０Ａ〜６１０Ｅから送信して、評価対象受信機の受信性能を評価する。
【００６９】
なお、試験車両ＴＶには、液晶ディスプレイ等の表示部７２１、画像再生部７２２、記憶部７２３が設置されている。ここで、記憶部７２３には、観測車両ＲＶによる放送信号収録中に、撮像部５３０によって撮像された前方映像の画像データが記憶されており、画像再生部７２２によりこの画像データが映像信号に変換されて再生され、表示部７２１に表示される。ここで、画像データの再生は、制御部６３０が出力する制御信号に基づき、信号再生部６２０Ａ〜６２０Ｅによる放送信号の再生・送信に同期して行われる。
【００７０】
次に、フローチャートを用いて、放送信号の収録、再生動作の説明を行う。
【００７１】
図７に、フィールドにおける信号収録装置５００による放送信号の収録操作についてのフローチャートを示す。
【００７２】
ステップＳ１０１では、観測車両ＲＶの走行が開始される。この後に、フローはステップＳ１０２へ移行する。
【００７３】
ステップＳ１０２では、放送信号の収録が開始される。放送信号の収録は、例えば、観測車両ＲＶが、試験室ＴＲでの評価対象受信機ＲＣＶの評価試験に必要な放送信号が送信されている地域内に入った場合に、手動操作により開始される。この後に、フローはステップＳ１０３へ移行する。
【００７４】
ステップＳ１０３では、放送信号の収録が終了したかどうかの判定が行われる。放送信号の収録は、例えば、観測車両ＲＶが、試験室ＴＲでの評価対象受信機ＲＣＶの評価試験に必要な放送信号が送信されている地域外に出た場合に、手動操作により終了する。この後に、フローはステップＳ１０４へ移行する。
【００７５】
ステップＳ１０４で、放送信号の収録操作が終了する。
【００７６】
図８に、評価対象受信機ＲＣＶの評価試験を行う前の、放送信号の再生条件設定動作についてのフローチャートを示す。
【００７７】
ステップＳ２０１では、複数の指向性受信アンテナ、複数の指向性送信アンテナ、複数の信号送信部を特定する指標ｉに１が設定される。本実施形態においては、ｉ＝１〜５であり、ｉ＝１の場合の指向性受信アンテナを指向性受信アンテナ５１０Ａ、指向性送信アンテナを指向性送信アンテナ６１０Ａ、信号再生部を信号再生部６２０Ａとする。同様に、ｉ＝２の場合の指向性受信アンテナを指向性受信アンテナ５１０Ｂ、指向性送信アンテナを指向性送信アンテナ６１０Ｂ、信号再生部を信号再生部６２０Ｂとする。以下、同様とする。この後に、フローはステップＳ２０２へ移行する。
【００７８】
ステップＳ２０２では、フィールドにおける放送信号の収録操作において、指標ｉに対応した指向性受信アンテナ（例えば、指向性受信アンテナ５１０Ｂ、以下、第ｉ受信アンテナと呼ぶ）で受信し収録した放送信号（以下、フィールド収録信号と呼ぶ）を、指標ｉに対応した信号再生部（例えば、信号再生部６２０Ｂ、以下第ｉ信号再生部と呼ぶ）で再生し、指標ｉに対応した指向性送信アンテナ（例えば、指向性送信アンテナ６１０Ｂ、以下、第ｉ送信アンテナと呼ぶ）から送信する。この後に、フローはステップＳ２０３へ移行する。
【００７９】
ステップＳ２０３では、ステップＳ２０２で第ｉ送信アンテナから送信されたフィールド収録信号を、信号収録部５２０により再度収録する。以下、この信号を試験室収録信号と呼ぶ。この後に、フローはステップＳ２０４へ移行する。
【００８０】
ステップＳ２０４では、フィールド収録信号と、試験室収録信号との相関値が算出される。この後に、フローはステップＳ２０５へ移行する。
【００８１】
ステップＳ２０５では、ステップＳ２０４で算出された相関値の大きさの判定が行われる。相関値が最大の場合は、フローはステップＳ２０７へ移行する。一方、相関値が最大でない場合は、フローはステップＳ２０６へ移行する。なお、相関値の大きさの判定は、前回算出した相関値と今回算出した相関値との差が所定の誤差内に収束した場合とする方法等、周知の方法により実現可能である。
【００８２】
ステップＳ２０６では、第ｉ送信アンテナから送信されるフィールド収録信号の時間的遅延量とゲイン量を、フィールド収録信号と試験室収録信号との相関値が大きくなるように調整する。この後に、フローはステップＳ２０２へ戻り、再度ステップＳ２０２〜ステップＳ２０５のステップを繰り返す。
【００８３】
ステップＳ２０７では、ステップＳ２０６までのステップで設定した遅延量、ゲイン量と、相関値を確認するため、第ｉ受信アンテナで受信し収録したフィールド収録信号を、第ｉ信号再生部で再生し、第ｉ送信アンテナから送信する。この後に、フローはステップＳ２０８へ移行する。
【００８４】
ステップＳ２０８では、第ｉ送信アンテナから送信された再生信号を、信号収録部５２０により再度収録する。この後に、フローはステップＳ２０９へ移行する。
【００８５】
ステップＳ２０９では、フィールド収録信号と、試験室収録信号との相関値が算出され、設定された遅延量、ゲイン量、算出された相関値が、送信信号制御部６２４内の制御情報記憶部６２４ｂに記憶される。この後に、フローはステップＳ２１０へ移行する。
【００８６】
ステップＳ２１０では、すべてのアンテナについて、ステップＳ２０２〜ステップＳ２０９の操作が行われたか否かの判定が行われる。すべてのアンテナについて、ステップＳ２０２〜ステップＳ２０９の操作が行われた場合（ｉ＝Ｎ、Ｎ：アンテナ数）は、フローはステップＳ２１２へ移行する。一方、すべてのアンテナについて、ステップＳ２０２〜ステップＳ２０９の操作が行われていない場合（ｉ＜Ｎ）は、フローはステップＳ２１１へ移行する。
【００８７】
ステップＳ２１１では、次にステップＳ２０２〜ステップＳ２０９の操作を行うアンテナを示す指標ｉが設定される。この後に、フローはステップＳ２０２へ戻り、新たなアンテナｉについて、同様の操作が行われる。
【００８８】
ステップＳ２１２で、再生条件設定動作が終了する。
【００８９】
以上の操作により、フィールドで収録した放送信号と、収録した放送信号を試験室ＴＲに設置した指向性送信アンテナ６１０Ａ〜６１０Ｅから送信し再度収録した際の信号との誤差が最小に設定され、収録した放送信号を再生・送信する際に、試験室ＴＲに設置した指向性送信アンテナ６１０Ａ〜６１０Ｅの特性の影響を排除、または最小限とすることができる。これにより、以降の試験室ＴＲでの評価対象受信機ＲＣＶの評価試験においては、その評価対象受信機ＲＣＶに接続されたアンテナＡＮＴの特性を含めた評価試験を行うことが可能となる。
【００９０】
図９に、再生条件設定動作終了後に行われる、評価対象受信機ＲＣＶの評価試験のフローチャートを示す。
【００９１】
ステップＳ３０１では、選択された指向性送信アンテナから、フィールド収録信号が送信される。この後に、フローはステップＳ３０２へ移行する。
【００９２】
ステップＳ３０２では、送信されたフィールド収録信号に対する、評価対象受信機ＲＣＶの受信性能が評価される。この評価は、受信信号強度、フェージング、Ｓ／Ｎ比等を指標としてリアルタイムで行うことができ、または、評価対象受信機ＲＣＶの受信信号を収録し、収録後に行っても良い。この後に、フローはステップＳ３０３へ移行する。
【００９３】
ステップＳ３０３では、評価の終了判定が行われる。評価を終了する場合は、フローはステップＳ３０４へ移行する。一方、評価を継続する場合は、フローはステップＳ３０２へ戻る。
【００９４】
ステップＳ３０４で、評価対象受信機ＲＣＶの受信性能の評価試験が終了する。
[実施例２]
前述した実施形態においては、各信号再生部６２０Ａ〜６２０Ｅ毎に、再生条件設定動作を行った。本実施例では、指向性受信アンテナ５１０Ａ〜５１０Ｅで同時に受信し収録した全放送信号（フィールド収録信号）を、信号再生部６２０Ａ〜６２０Ｅで同時に再生して指向性送信アンテナ６１０Ａ〜６１０Ｅから同時に送信し、各信号再生部６２０Ａ〜６２０Ｅにおける再生条件設定動作を同時に行う実施例である。
【００９５】
本実施例は、前述した実施形態と動作フローが異なるだけであるため、以下、動作フローについてのみ説明を行う。
【００９６】
図１０に、本実施例における、再生条件設定動作についてのフローチャートを示す。
【００９７】
ステップＳ４０１では、フィールドにおける放送信号の収録操作において、各指向性受信アンテナ５１０Ａ〜５１０Ｅで同時に受信し収録した放送信号（フィールド収録信号）を、各信号再生部６２０Ａ〜６２０Ｅで同時に再生し、各指向性送信アンテナ６１０Ａ〜６１０Ｅから送信する。この後に、フローはステップＳ４０１へ移行する。
【００９８】
ステップＳ４０２では、ステップＳ４０１で各指向性送信アンテナ６１０Ａ〜６１０Ｅから送信されたフィールド収録信号を、信号収録部５２０により再度収録（試験室収録信号）する。この後に、フローはステップＳ４０３へ移行する。
【００９９】
ステップＳ４０３では、各信号再生部６２０Ａ〜６２０Ｅにおいて、フィールド収録信号と、試験室収録信号との相関値が算出される。この後に、フローはステップＳ４０４へ移行する。
【０１００】
ステップＳ４０４では、ステップＳ４０３で算出された相関値の大きさの判定が行われる。相関値が最大の場合は、フローはステップＳ４０６へ移行する。一方、相関値が最大でない場合は、フローはステップＳ４０５へ移行する。なお、相関値の大きさの判定は、前回算出した相関値と今回算出した相関値との差が所定の誤差内に収束した場合とする方法等、周知の方法により実現可能である。
【０１０１】
ステップＳ４０５では、各指向性送信アンテナ６１０Ａ〜６１０Ｅから送信されるフィールド収録信号の時間的遅延量とゲイン量を、フィールド収録信号と試験室収録信号との相関値が大きくなるように調整する。この後に、フローはステップＳ４０１へ戻り、再度ステップＳ４０１〜ステップＳ４０４のステップを繰り返す。
【０１０２】
ステップＳ４０６では、ステップＳ４０５までのステップで設定した遅延量、ゲイン量と、相関値を確認するため、各指向性受信アンテナ５１０Ａ〜５１０Ｅで受信し収録した放送信号（フィールド収録信号）を、各信号再生部６２０Ａ〜６２０Ｅで同時に再生し、各指向性送信アンテナ６１０Ａ〜６１０Ｅから送信する。この後に、フローはステップＳ４０７へ移行する。
【０１０３】
ステップＳ４０７では、ステップＳ４０６で各指向性送信アンテナ６１０Ａ〜６１０Ｅから送信されたフィールド収録信号を、信号収録部５２０により再度収録（試験室収録信号）する。この後に、フローはステップＳ４０８へ移行する。
【０１０４】
ステップＳ４０８では、各信号再生部６２０Ａ〜６２０Ｅにおいて、フィールド収録信号と、試験室収録信号との相関値が算出され、設定された遅延量、ゲイン量、算出された相関値が、各信号再生部６２０Ａ〜６２０Ｅの送信信号制御部６２４内の制御情報記憶部６２４ｂに記憶される。この後に、フローはステップＳ４０９へ移行する。
【０１０５】
ステップＳ４０９で、再生条件設定動作が終了する。
【０１０６】
以上の操作により、フィールドで収録した放送信号と、収録した放送信号を試験室ＴＲに設置した指向性送信アンテナ６１０Ａ〜６１０Ｅから送信し再度収録した際の信号との誤差が最小に設定され、収録した放送信号を再生・送信する際に、試験室ＴＲに設置した指向性送信アンテナ６１０Ａ〜６１０Ｅの特性の影響を排除、または最小限とすることができる。これにより、以降の試験室ＴＲでの評価対象受信機ＲＣＶの評価試験においては、その評価対象受信機ＲＣＶに接続されたアンテナＡＮＴの特性を含めた評価試験を行うことが可能となる。
【０１０７】
また、本実施例では、各信号再生部６２０Ａ〜６２０Ｅにおける再生条件設定動作を同時に行うため、再生条件設定動作を短時間で行うことができる。また、複数の放送信号が同時に存在する電波伝搬環境を精度高く再現する再生条件を設定することができる。
[実施例３]
前述した実施形態においては、各信号再生部６２０Ａ〜６２０Ｅ毎に、再生条件設定動作を行い、また、実施例２においては、各信号再生部６２０Ａ〜６２０Ｅにおける再生条件設定動作を同時に行った。本実施例は、各信号再生部６２０Ａ〜６２０Ｅ毎に再生条件設定動作を行った後に、各信号再生部６２０Ａ〜６２０Ｅにおける再生条件設定動作を再度同時に行う実施例である。再生条件設定動作で設定される遅延量およびゲイン量は、再生条件設定動作を各信号再生部６２０Ａ〜６２０Ｅ毎に行った場合と、信号再生部６２０Ａ〜６２０Ｅ同時に行った場合の値が、それぞれ各信号再生部６２０Ａ〜６２０Ｅの制御情報記憶部６２４ｂに記憶される。これにより、評価試験に適した遅延量およびゲイン量を任意に選択することが可能となる。
【０１０８】
本実施例における再生条件設定動作は、図８のフローチャートに示す動作の後に図１０のフローチャートに示す動作を実施すれば実現可能である。
【０１０９】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【０１１０】
例えば、図３に示す信号収録部５２０、図５に示す信号再生部６２０Ｂのブロック図は一例であり、同等の作用効果を実現できるものであれば、図３、図５に示すものに限定されるものではない。
【０１１１】
また、信号再生部６２０Ａ〜６２０Ｅは、複数の放送信号を独立して再生できる一つの信号再生部としてもよい。
【０１１２】
また、指向性受信アンテナ、指向性送信アンテナの数は、実施形態および実施例に示すものに限定されるものではなく、任意の数を設定することができる。
【０１１３】
また、走行状態検出部５５０が検出する信号は、実施形態に示したものに限定されるものではない。
【図面の簡単な説明】
【０１１４】
【図１】本発明の実施形態における信号収録装置によるフィールドでの放送信号収録操作の概要図である。
【図２】本発明の実施形態における信号収録装置および観測車両の概要図である。
【図３】本発明の実施形態における信号収録装置のブロック図である。
【図４】本発明の実施形態における信号再生装置のブロック図である。
【図５】本発明の実施形態における信号収録部および信号再生部のブロック図である。
【図６】本発明の実施形態における評価対象受信機の評価試験の概要図である。
【図７】本発明の実施形態における信号収録装置によるフィールドでの放送信号の収録操作のフローチャートである。
【図８】本発明の実施形態における信号再生部による放送信号の再生条件設定動作のフローチャートである。
【図９】本発明の実施形態における評価対象受信機ＲＣＶの評価試験のフローチャートである。
【図１０】本発明の第二の実施例における信号再生部による放送信号の再生条件設定動作のフローチャートである。
【符号の説明】
【０１１５】
５００  信号収録装置
５１０  受信アンテナ
５１０Ａ〜５１０Ｅ  指向性受信アンテナ
５２０  信号収録部
５２１  放送信号受信部
５２１ａ  受信部
５２１ｂ  周波数変換部
５２１ｃ  フィルタ部
５２１ｄ  ＡＤ変換部
５２２  制御部
５２３  記憶部
５３０  撮像部
５４１  ＧＰＳアンテナ
５４２  ＧＰＳ受信部
５５０  走行状態検出部
６００  信号再生装置
６１０  送信アンテナ
６１０Ａ〜６１０Ｅ  指向性送信アンテナ
６２０、６２０Ａ〜６２０Ｅ  信号再生部
６２１  放送信号送信部
６２１ａ  送信部
６２１ｂ  周波数変換部
６２１ｃ  フィルタ部
６２１ｄ  ＤＡ変換部
６２２  再生制御部
６２３  記憶部
６２４  送信信号制御部
６２４ａ  相関値算出部
６２４ｂ  制御情報記憶部
６２５  遅延ゲイン制御部
６２５ａ  遅延制御部
６２５ｂ  ゲイン制御部
６３０  制御部
７２１  表示部
７２２  画像再生部
７２３  記憶部
ＡＮＴ  受信アンテナ
ＲＣＶ  評価対象受信機
ＲＶ  観測車両
ＴＶ  試験車両
ＴＲ  試験室
【図１】
0004940106.tif 000002
【図２】
0004940106.tif 000003
【図３】
0004940106.tif 000004
【図４】
0004940106.tif 000005
【図５】
0004940106.tif 000006
【図６】
0004940106.tif 000007
【図７】
0004940106.tif 000008
【図８】
0004940106.tif 000009
【図９】
0004940106.tif 000010
【図１０】
0004940106.tif 000011